(57)【要約】【課題】  ランプバルブの上下の温度差を低減させること。【解決手段】  ＵＶ−ＩＲカットフィルタ２１は、ランプバルブ１１から発せられた光で反射面１４Ａの上部から前方に向けて反射される反射光に含まれる赤外線及び紫外線を、反射面１４Ａの下部に向けて反射させるように、放電ランプ１０に対してＵＶ−ＩＲカットフィルタ２１の上部が下部よりも近づくように下方に傾斜して配置されている。このようにＵＶ−ＩＲカットフィルタ２１からの反射光を反射面１４Ａの下部に向けて照射させることでランプバルブ１１の上下の温度差を低減させるようにした。【選択図】図３
2006047980.tif 000002
【特許請求の範囲】
【請求項１】
水平方向に向けて配置された放電ランプと、前記放電ランプの前方に配置されたＩＲカットフィルタとを備え、
前記放電ランプは、ランプバルブと、前記ランプバルブの周囲に設けられ前記ランプバルブから発せられた光を反射して前方に向けて出射させる反射面を有するランプリフレクタとを備えた装置におけるランプバルブの上下の温度差を低減する方法であって、
前記ランプバルブから発せられた光で前記反射面で反射され前方に向けて出射される反射光に含まれる赤外線を前記ＩＲカットフィルタでやや下方に傾けて前記反射面に向けて反射させるようにした、
ことを特徴とするランプバルブの上下の温度差の低減方法。
【請求項２】
下方向に向けて配置された放電ランプと、前記放電ランプの下方に配置されたＩＲカットフィルタとを備え、
前記放電ランプは、ランプバルブと、前記ランプバルブの周囲に設けられ前記ランプバルブから発せられた光を反射して下方に向けて出射させる反射面を有するランプリフレクタとを備えた装置におけるランプバルブの上下の温度差を低減する方法であって、
前記ランプバルブから発せられた光で前記反射面で反射され下方に向けて出射される反射光に含まれる赤外線を前記ＩＲカットフィルタで前記反射面の外周方向に向けて反射させるようにした、
ことを特徴とするランプバルブの上下の温度差の低減方法。
【請求項３】
上方向に向けて配置された放電ランプと、前記放電ランプの上方に配置されたＩＲカットフィルタとを備え、
前記放電ランプは、ランプバルブと、前記ランプバルブの周囲に設けられ前記ランプバルブから発せられた光を反射して上方に向けて出射させる反射面を有するランプリフレクタとを備えた装置におけるランプバルブの上下の温度差を低減する方法であって、
前記ランプバルブから発せられた光で前記反射面で反射され上方に向けて出射される反射光に含まれる赤外線を前記ＩＲカットフィルタで前記反射面の外周方向に向けて反射させるようにした、
ことを特徴とするランプバルブの上下の温度差の低減方法。
【請求項４】
前記ＩＲカットフィルタは平面上を延在するように設けられ、前記放電ランプに対して前記ＩＲカットフィルタの上部が下部よりも近づくように前記ＩＲカットフィルタが傾斜して配置されていることを特徴とする請求項１記載のランプバルブの上下の温度差の低減方法。
【請求項５】
前記ＩＲカットフィルタの反射面は、下方に凸状の又は上方に凸状の湾曲面または円錐面で形成されていることを特徴とする請求項２または３記載のランプバルブの上下の温度差の低減方法。
【請求項６】
前記ランプバルブは光を発する放電電極を有し、前記反射面は回転対称放物面で形成され、前記放電電極は前記回転対称方物面の回転対称軸の焦点に配置されていることを特徴とする請求項１、２または３記載のランプバルブの上下の温度差の低減方法。
【請求項７】
前記ランプリフレクタには冷却空気を流すための切欠きが設けられ、前記ランプバルブは前記冷却空気により冷却されることを特徴とする請求項１、２または３記載のランプバルブの上下の温度差の低減方法。
【請求項８】
水平方向に向けて配置された放電ランプと、前記放電ランプの前方に配置されたＵＶ−ＩＲカットフィルタとを備え、
前記放電ランプは、ランプバルブと、前記ランプバルブの周囲に設けられ前記ランプバルブから発せられた光を反射して前方に向けて出射させる反射面を有するランプリフレクタとを備えた装置におけるランプバルブの上下の温度差を低減する方法であって、
前記ランプバルブから発せられた光で前記反射面で反射され前方に向けて出射される反射光に含まれる紫外線及び赤外線を前記ＵＶ−ＩＲカットフィルタでやや下方に傾けて前記反射面に向けて反射させるようにした、
ことを特徴とするランプバルブの上下の温度差の低減方法。
【請求項９】
下方向に向けて配置された放電ランプと、前記放電ランプの下方に配置されたＵＶ−ＩＲカットフィルタとを備え、
前記放電ランプは、ランプバルブと、前記ランプバルブの周囲に設けられ前記ランプバルブから発せられた光を反射して下方に向けて出射させる反射面を有するランプリフレクタとを備えた装置におけるランプバルブの上下の温度差を低減する方法であって、
前記ランプバルブから発せられた光で前記反射面で反射され下方に向けて出射される反射光に含まれる紫外線及び赤外線を前記ＵＶ−ＩＲカットフィルタで前記反射面の外周方向に向けて反射させるようにした、
ことを特徴とするランプバルブの上下の温度差の低減方法。
【請求項１０】
上方向に向けて配置された放電ランプと、前記放電ランプの上方に配置されたＵＶ−ＩＲカットフィルタとを備え、
前記放電ランプは、ランプバルブと、前記ランプバルブの周囲に設けられ前記ランプバルブから発せられた光を反射して上方に向けて出射させる反射面を有するランプリフレクタとを備えた装置におけるランプバルブの上下の温度差を低減する方法であって、
前記ランプバルブから発せられた光で前記反射面で反射され上方に向けて出射される反射光に含まれる紫外線及び赤外線を前記ＵＶ−ＩＲカットフィルタで前記反射面の外周方向に向けて反射させるようにした、
ことを特徴とするランプバルブの上下の温度差の低減方法。
【請求項１１】
前記ＵＶ−ＩＲカットフィルタは平面上を延在するように設けられ、前記放電ランプに対して前記ＵＶ−ＩＲカットフィルタの上部が下部よりも近づくように前記ＵＶ−ＩＲカットフィルタが傾斜して配置されていることを特徴とする請求項８記載のランプバルブの上下の温度差の低減方法。
【請求項１２】
前記ＵＶ−ＩＲカットフィルタの反射面は、下方に凸状の又は上方に凸状の湾曲面または円錐面で形成されていることを特徴とする請求項９または１０記載のランプバルブの上下の温度差の低減方法。
【請求項１３】
前記ランプバルブは光を発する放電電極を有し、前記反射面は回転対称放物面で形成され、前記放電電極は前記回転対称方物面の回転対称軸の焦点に配置されていることを特徴とする請求項８、９または１０記載のランプバルブの上下の温度差の低減方法。
【請求項１４】
前記ランプリフレクタには冷却空気を流すための切欠きが設けられ、前記ランプバルブは前記冷却空気により冷却されることを特徴とする請求項８、９または１０記載のランプバルブの上下の温度差の低減方法。
【請求項１５】
水平方向に向けて配置された画像投影用の放電ランプと、
前記放電ランプの前方に配設されたＩＲカットフィルタとを備え、
前記放電ランプは、ランプバルブと、前記ランプバルブの周囲に設けられ前記ランプバルブから発せられた光を反射して前方に向けて出射させる反射面を有するランプリフレクタとを備えた光学ユニットであって、
前記ランプバルブから発せられた光で前記反射面で反射され前方に向けて出射される反射光に含まれる赤外線を前記ＩＲカットフィルタでやや下方に傾けて前記反射面に向けて反射させるように構成されている、
ことを特徴とする光学ユニット。
【請求項１６】
水平方向に向けて配置された画像投影用の放電ランプと、
前記放電ランプの前方に配設されたＵＶ−ＩＲカットフィルタとを備え、
前記放電ランプは、ランプバルブと、前記ランプバルブの周囲に設けられ前記ランプバルブから発せられた光を反射して前方に向けて出射させる反射面を有するランプリフレクタとを備えた光学ユニットであって、
前記ランプバルブから発せられた光で前記反射面で反射され前方に向けて出射される反射光に含まれる紫外線及び赤外線を前記ＵＶ−ＩＲカットフィルタでやや下方に傾けて前記反射面に向けて反射させるように構成されている、
ことを特徴とする光学ユニット。
【請求項１７】
画像をスクリーンに投影するための光学ユニットを有し、
前記光学ユニットは、
水平方向に向けて配置された放電ランプと、
前記放電ランプの前方に配設されたＩＲカットフィルタとを備えている投写型表示装置であって、
前記放電ランプは、ランプバルブと、前記ランプバルブの周囲に設けられ前記ランプバルブから発せられた光を反射して前方に向けて出射させる反射面を有するランプリフレクタとを備え、
前記ランプバルブから発せられた光で前記反射面で反射され前方に向けて出射される反射光に含まれる赤外線を前記ＩＲカットフィルタでやや下方に傾けて前記反射面にむけて反射させるように構成されている、
ことを特徴とする投射型表示装置。
【請求項１８】
画像をスクリーンに投影するための光学ユニットを有し、
前記光学ユニットは
水平方向に向けて配置された放電ランプと、
前記放電ランプの前方に配設されたＵＶ−ＩＲカットフィルタとを備えている投射型表示装置であって、
前記放電ランプは、ランプバルブと、前記ランプバルブの周囲に設けられ前記ランプバルブから発せられた光を反射して前方に向けて出射させる反射面を有するランプリフレクタとを備え、
前記ランプバルブから発せられた光で前記反射面で反射され前方に向けて出射される反射光に含まれる紫外線及び赤外線を前記ＵＶ−ＩＲカットフィルタでやや下方に傾けて前記反射面に向けて反射させるように構成されている、
ことを特徴とする投射型表示装置。
【請求項１９】
フレームと、
前記フレームの前面に取り付けられた背面投影型スクリーンと、
前記フレームに設けられたテレビジョン画像を投影するための光学ユニットと、
前記フレームに取り付けられ前記光学ユニットから出射されるテレビジョン画像投影光束を前記背面投影型スクリーンの背面に反射する反射ミラーとを有し、
前記光学ユニットは、
水平方向に向けて配置された放電ランプと、
前記放電ランプの前方に配設されたＩＲカットフィルタとを備えているプロジェクションテレビジョン装置であって、
前記放電ランプは、ランプバルブと、前記ランプバルブの周囲に設けられ前記ランプバルブから発せられた光を反射して前方に向けて出射させる反射面を有するランプリフレクタとを備え、
前記ランプバルブから発せられた光で前記反射面で反射され前方に向けて出射される反射光に含まれる赤外線を前記ＩＲカットフィルタでやや下方に傾けて前記反射面に向けて反射させるように構成されている、
ことを特徴とするプロジェクションテレビジョン装置。
【請求項２０】
フレームと、
前記フレームの前面に取り付けられた背面投影型スクリーンと、
前記フレームに設けられたテレビジョン画像を投影するための光学ユニットと、
前記フレームに取り付けられ前記光学ユニットから出射されるテレビジョン画像投影光束を前記背面投影型スクリーンの背面に反射する反射ミラーとを有し、
前記光学ユニットは、
水平方向に向けて配置された放電ランプと、
前記放電ランプの前方に配設されたＵＶ−ＩＲカットフィルタとを備えているプロジェクションテレビジョン装置であって、
前記放電ランプは、ランプバルブと、前記ランプバルブの周囲に設けられ前記ランプバルブから発せられた光を反射して前方に向けて出射させる反射面を有するランプリフレクタとを備え、
前記ランプバルブから発せられた光で前記反射面で反射され前方に向けて出射される反射光に含まれる紫外線及び赤外線を前記ＵＶ−ＩＲカットフィルタでやや下方に傾けて前記反射面に向けて反射させるように構成されている、
ことを特徴とするプロジェクションテレビジョン装置。
【発明の詳細な説明】
【技術分野】
【０００１】
本発明は、プロジェクタなどの光学装置に使用されている放電ランプの寿命を延ばすためのランプバルブ上下の温度差低減方法及び光学ユニット、投射型表示装置並びにプロジェクションテレビジョン装置に関する。
【背景技術】
【０００２】
従来、液晶プロジェクタとして例えば図１１に示すものがある。液晶プロジェクタ１０１は、外筐１０２の内部に光学ユニット１０３が設置されている。光学ユニット１０３は、光源となる放電ランプ１０４と、その光軸上に設けられたＵＶ−ＩＲカットフィルタ１０５、ＰＳ変換装置１０６及びミラー１０７と、ミラー１０７で反射された光軸上に設けられたダイロックミラー１０８Ｒ、１０８Ｇ及びミラー１０９と、ダイロックミラー１０８Ｒ及びミラー１０９で反射した光軸状に設けられたミラー１１１、１１２と、ミラー１１１、１０８Ｇ、１１２で反射した光軸上にそれぞれ設けられたコンデンサレンズ１１３Ｒ、１１３Ｇ、１１３Ｂと、光変調手段である透過型液晶パネル等のＲ、Ｇ、Ｂ用の３枚の空間光変調素子１１４Ｒ、１１４Ｇ、１１４Ｂと、前記空間光変調素子１１４Ｒ、１１４Ｇ、１１４Ｂの光出射する経路に配置された光合成用のクロスプリズム１１５と、光合成されたフルカラーの影像を投射する投射レンズ１１６などにより構成されている。放電ランプ１０４には、超高圧水銀ランプが使用され、放電ランプ１０４のランプバルブ周辺及びそのランプリフレクタ内部を送風ファンにより冷却している。（例えば、特許文献１参照。）
【特許文献１】特開２００１−１８３７４６号公報
【発明の開示】
【発明が解決しようとする課題】
【０００３】
上記従来技術では、プロジェクタ等に使用される放電ランプのランプリフレクタに設けられているエアギャップと呼ばれる隙間から空気を送り込み、ファンダクトの入れ込み角度とファンモータの電圧を調整することにより、ランプバルブ上下の温度差を低減させていた。しかし、この従来方法は、エアギャップを通し、空気を送って距離のあるランプバルブを冷却するため、ランプバルブの上下の温度の緻密な冷却制御をすることが困難であり、結果、ランプバルブ上下の温度差を十分に小さくすることができなかった。
その結果、放電ランプのバルブが白くなったり黒化したりして、その寿命が短くなってしまうという問題があった。
このような問題は、ＵＶ−ＩＲカットフィルタのみに限らず、ＩＲカットフィルタを用いた場合にも同様に生じる。
【０００４】
本発明は、上記課題に鑑みてなされたものであり、ＩＲカットフィルタやＵＶ−ＩＲカットフィルタからの反射光が放電ランプのランプリフレクタの反射面へ照射される箇所を変更することで、ランプバルブの上下の温度差を低減させるようにした方法及びこの方法を用いた光学ユニット、投射型表示装置、プロジェクションテレビジョン装置を提供することを目的とする。
【課題を解決するための手段】
【０００５】
本発明のランプバルブの上下の温度差の低減方法は、水平方向に向けて配置された放電ランプと、前記放電ランプの前方に配置されたＩＲカットフィルタとを備え、前記放電ランプは、ランプバルブと、前記ランプバルブの周囲に設けられ前記ランプバルブから発せられた光を反射して前方に向けて出射させる反射面を有するランプリフレクタとを備えた装置におけるランプバルブの上下の温度差を低減する方法であって、前記ランプバルブから発せられた光で前記反射面で反射され前方に向けて出射される反射光に含まれる赤外線を前記ＩＲカットフィルタでやや下方に傾けて前記反射面に向けて反射させるようにしたことを特徴とする。
また、本発明のランプバルブの上下の温度差の低減方法は、下方向に向けて配置された放電ランプと、前記放電ランプの下方に配置されたＩＲカットフィルタとを備え、前記放電ランプは、ランプバルブと、前記ランプバルブの周囲に設けられ前記ランプバルブから発せられた光を反射して下方に向けて出射させる反射面を有するランプリフレクタとを備えた装置におけるランプバルブの上下の温度差を低減する方法であって、前記ランプバルブから発せられた光で前記反射面で反射され下方に向けて出射される反射光に含まれる赤外線を前記ＩＲカットフィルタで前記反射面の外周方向に向けて反射させるようにしたことを特徴とする。
また、本発明のランプバルブの上下の温度差の低減方法は、上方向に向けて配置された放電ランプと、前記放電ランプの上方に配置されたＩＲカットフィルタとを備え、前記放電ランプは、ランプバルブと、前記ランプバルブの周囲に設けられ前記ランプバルブから発せられた光を反射して上方に向けて出射させる反射面を有するランプリフレクタとを備えた装置におけるランプバルブの上下の温度差を低減する方法であって、前記ランプバルブから発せられた光で前記反射面で反射され上方に向けて出射される反射光に含まれる赤外線を前記ＩＲカットフィルタで前記反射面の外周方向に向けて反射させるようにしたことを特徴とする。
【０００６】
また、本発明のランプバルブの上下の温度差の低減方法は、水平方向に向けて配置された放電ランプと、前記放電ランプの前方に配置されたＵＶ−ＩＲカットフィルタとを備え、前記放電ランプは、ランプバルブと、前記ランプバルブの周囲に設けられ前記ランプバルブから発せられた光を反射して前方に向けて出射させる反射面を有するランプリフレクタとを備えた装置におけるランプバルブの上下の温度差を低減する方法であって、前記ランプバルブから発せられた光で前記反射面で反射され前方に向けて出射される反射光に含まれる紫外線及び赤外線を前記ＵＶ−ＩＲカットフィルタでやや下方に傾けて前記反射面に向けて反射させるようにしたことを特徴とする。
また、本発明のランプバルブの上下の温度差の低減方法は、下方向に向けて配置された放電ランプと、前記放電ランプの下方に配置されたＵＶ−ＩＲカットフィルタとを備え、前記放電ランプは、ランプバルブと、前記ランプバルブの周囲に設けられ前記ランプバルブから発せられた光を反射して下方に向けて出射させる反射面を有するランプリフレクタとを備えた装置におけるランプバルブの上下の温度差を低減する方法であって、前記ランプバルブから発せられた光で前記反射面で反射され下方に向けて出射される反射光に含まれる紫外線及び赤外線を前記ＵＶ−ＩＲカットフィルタで前記反射面の外周方向に向けて反射させるようにしたことを特徴とする。
また、本発明のランプバルブの上下の温度差の低減方法は、上方向に向けて配置された放電ランプと、前記放電ランプの上方に配置されたＵＶ−ＩＲカットフィルタとを備え、前記放電ランプは、ランプバルブと、前記ランプバルブの周囲に設けられ前記ランプバルブから発せられた光を反射して上方に向けて出射させる反射面を有するランプリフレクタとを備えた装置におけるランプバルブの上下の温度差を低減する方法であって、前記ランプバルブから発せられた光で前記反射面で反射され上方に向けて出射される反射光に含まれる紫外線及び赤外線を前記ＵＶ−ＩＲカットフィルタで前記反射面の外周方向に向けて反射させるようにしたことを特徴とする。
【０００７】
また、本発明の光学ユニットは、水平方向に向けて配置された画像投影用の放電ランプと、前記放電ランプの前方に配設されたＩＲカットフィルタとを備え、前記放電ランプは、ランプバルブと、前記ランプバルブの周囲に設けられ前記ランプバルブから発せられた光を反射して前方に向けて出射させる反射面を有するランプリフレクタとを備えた光学ユニットであって、前記ランプバルブから発せられた光で前記反射面で反射され前方に向けて出射される反射光に含まれる赤外線を前記ＩＲカットフィルタでやや下方に傾けて前記反射面に向けて反射させるように構成されていることを特徴とする。
【０００８】
また、本発明の光学ユニットは、水平方向に向けて配置された画像投影用の放電ランプと、前記放電ランプの前方に配設されたＵＶ−ＩＲカットフィルタとを備え、前記放電ランプは、ランプバルブと、前記ランプバルブの周囲に設けられ前記ランプバルブから発せられた光を反射して前方に向けて出射させる反射面を有するランプリフレクタとを備えた光学ユニットであって、前記ランプバルブから発せられた光で前記反射面で反射され前方に向けて出射される反射光に含まれる紫外線及び赤外線を前記ＵＶ−ＩＲカットフィルタでやや下方に傾けて前記反射面に向けて反射させるように構成されていることを特徴とする。
【０００９】
また、本発明の投射型表示装置は、画像をスクリーンに投影するための光学ユニットを有し、前記光学ユニットは水平方向に向けて配置された放電ランプと、前記放電ランプの前方に配設されたＩＲカットフィルタとを備えている投写型表示装置であって、前記放電ランプは、ランプバルブと、前記ランプバルブの周囲に設けられ前記ランプバルブから発せられた光を反射して前方に向けて出射させる反射面を有するランプリフレクタとを備え、前記ランプバルブから発せられた光で前記反射面で反射され前方に向けて出射される反射光に含まれる赤外線を前記ＩＲカットフィルタでやや下方に傾けて前記反射面にむけて反射させるように構成されていることを特徴とする。
【００１０】
また、本発明の投射型表示装置は、画像をスクリーンに投影するための光学ユニットを有し、前記光学ユニットは水平方向に向けて配置された放電ランプと、前記放電ランプの前方に配設されたＵＶ−ＩＲカットフィルタとを備えている投射型表示装置であって、前記放電ランプは、ランプバルブと、前記ランプバルブの周囲に設けられ前記ランプバルブから発せられた光を反射して前方に向けて出射させる反射面を有するランプリフレクタとを備え、前記ランプバルブから発せられた光で前記反射面で反射され前方に向けて出射される反射光に含まれる紫外線及び赤外線を前記ＵＶ−ＩＲカットフィルタでやや下方に傾けて前記反射面に向けて反射させるように構成されていることを特徴とする。
【００１１】
また、本発明のプロジェクションテレビジョン装置は、フレームと、前記フレームの前面に取り付けられた背面投影型スクリーンと、前記フレームに設けられたテレビジョン画像を投影するための光学ユニットと、前記フレームに取り付けられ前記光学ユニットから出射されるテレビジョン画像投影光束を前記背面投影型スクリーンの背面に反射する反射ミラーとを有し、前記光学ユニットは、水平方向に向けて配置された放電ランプと、前記放電ランプの前方に配設されたＩＲカットフィルタとを備えているプロジェクションテレビジョン装置であって、前記放電ランプは、ランプバルブと、前記ランプバルブの周囲に設けられ前記ランプバルブから発せられた光を反射して前方に向けて出射させる反射面を有するランプリフレクタとを備え、前記ランプバルブから発せられた光で前記反射面で反射され前方に向けて出射される反射光に含まれる赤外線を前記ＩＲカットフィルタでやや下方に傾けて前記反射面に向けて反射させるように構成されていることを特徴とする。
【００１２】
また、本発明のプロジェクションテレビジョン装置は、フレームと、前記フレームの前面に取り付けられた背面投影型スクリーンと、前記フレームに設けられたテレビジョン画像を投影するための光学ユニットと、前記フレームに取り付けられ前記光学ユニットから出射されるテレビジョン画像投影光束を前記背面投影型スクリーンの背面に反射する反射ミラーとを有し、前記光学ユニットは、水平方向に向けて配置された放電ランプと、前記放電ランプの前方に配設されたＵＶ−ＩＲカットフィルタとを備えているプロジェクションテレビジョン装置であって、前記放電ランプは、ランプバルブと、前記ランプバルブの周囲に設けられ前記ランプバルブから発せられた光を反射して前方に向けて出射させる反射面を有するランプリフレクタとを備え、前記ランプバルブから発せられた光で前記反射面で反射され前方に向けて出射される反射光に含まれる紫外線及び赤外線を前記ＵＶ−ＩＲカットフィルタでやや下方に傾けて前記反射面に向けて反射させるように構成されていることを特徴とする。
【発明の効果】
【００１３】
ランプバルブから発せられた光で反射面の温度の高い箇所で反射された光を、ＩＲカットフィルタやＵＶ−ＩＲカットフィルタで反射させて反射面の温度の低い箇所に向けて照射させることで、あるいは、反射面の外側に逃がすことで、ＩＲカットフィルタやＵＶ−ＩＲカットフィルタで反射された光を反射面の温度の高い箇所に戻さないようにし、ランプバルブの上下の温度差を低減させるようにした。
【発明を実施するための最良の形態】
【００１４】
（第１の実施の形態）
以下に本発明の実施形態について図面を参照して説明する。
図１は本発明を適用した投射型表示装置の構成図、図２は放電ランプの斜視図、図３（Ａ）はＵＶ−ＩＲカットフィルタおよび放電ランプ部分の取り付け構造の断面図、（Ｂ）はＵＶ−ＩＲカットフィルタの取り付け構造の斜視図である。
図１に示される投射型表示装置２は外筐２０１及び投射レンズ９０を備え、外筐２０１の内部に画像を投影するための光学ユニット２０を備えている。
光学ユニット２０は、画像投影用の光源を構成する放電ランプ１０、照明光学系２６、色分離光学系３０、光変調手段（空間光変調素子）である透過型液晶装置からなる３つの液晶パネル６０Ａ、６０Ｂ、６０Ｃ、クロスダイクロイックプリズム７０、リレー光学系８０などを備え、それらは光学ユニット２０のハウジング２１０に収容されている。
放電ランプ１０から出射された光束は、照明光学系２６によって色分離光学系３０、リレー光学系８０に導かれ、これら色分離光学系３０およびリレー光学系８０によって赤色（Ｒ）、緑色（Ｇ）、青色（Ｂ）の３色の光束に分離される。
これら３色の光束は、対応する赤色（Ｒ）、緑色（Ｇ）、青色（Ｂ）の３色の画像情報をそれぞれ表示する３つの液晶パネル６０Ａ，６０Ｂ，６０Ｃ（空間光変調素子）を通過することで前記画像情報に基づいて変調された後、クロスダイクロイックプリズム７０によって１つの画像投影光束として合成され、この画像投影光束が投影レンズ９０を介してスクリーン上に投影されるように構成されている。なお、各液晶パネル６０Ａ，６０Ｂ，６０Ｃに対する前記画像情報の供給は、図示しないパーソナルコンピュータなどの外部装置から投射型表示装置２に組み込まれた電気回路を介して行われる。
詳細に説明すると、放電ランプ１０はその光軸を水平に向けて配置され、放電ランプ１０の前方に照明光学系２６が配置されている。
【００１５】
照明光学系２６は、第１光路１０Ａ上に配設されたＵＶ−ＩＲカットフィルタ２１、ＰＳ変換素子２４を有している。放電ランプ１０からの光束がこれらＵＶ−ＩＲカットフィルタ２１、ＰＳ変換素子２４を通過すると、反射ミラー３４１で反射されて色分離光学系３０の第２光路１０Ｂに至る。第１光路１０Ａと第２光路１０Ｂは直交している。
色分離光学系３０は、第２光路１０Ｂに配置されたダイクロイックミラー３０１と、第２光路の延長線上に配置されたダイクロイックミラー３０２とを有している。
これら２つのダイクロイックミラー３０１、３０２は、第２光路１０Ｂおよびその延長線に対して４５度をなすように配置されている。
照明光学系２６から出射された光束はダイクロイックミラー３０１で反射されると反射ミラー３４４、コンデンサレンズ３５１を介して液晶パネル６０Ａを透過しクロスダイクロイックプリズム７０に至る。このとき、ダイクロイックミラー３０１から反射ミラー３４４に至る光路を第３光路１０Ｃといい、反射ミラー３４４からクロスダイクロイックプリズム７０に至る光路を第４光路１０Ｄという。本実施の形態では第２光路１０Ｂと第３光路１０Ｃは直交し、第３光路１０Ｃと第４光路１０Ｄも直交している。
【００１６】
ダイクロイックミラー３０１を透過した光束のうち、ダイクロイックミラー３０２によって反射された光束はコンデンサレンズ３５２を介して液晶パネル６０Ｂを透過しクロスダイクロイックプリズム７０に至る。このとき、ダイクロイックミラー３０１からダイクロイックミラー３０２に至る光路を第５光路１０Ｅといい、ダイクロイックミラー３０２からクロスダイクロイックプリズム７０に至る光路を第６光路１０Ｆという。本実施の形態では第２光路１０Ｂと第５光路１０Ｅは同軸上に位置し、第５光路１０Ｅと第６光路１０Ｆは直交している。
ダイクロイックミラー３０１を透過し、かつ、ダイクロイックミラー３０２を透過した光束は、リレー光学系８０を構成するリレーレンズ３８１、反射ミラー３４２、リレーレンズ３８２、反射ミラー３４３によってコンデンサレンズ３５３を介して液晶パネル６０Ｃを透過しクロスダイクロイックプリズム７０に至る。このとき、ダイクロイックミラー３０２から反射ミラー３４２に至る光路を第７光路１０Ｇといい、反射ミラー３４２から反射ミラー３４３に至る光路を第８光路１０Ｈといい、反射ミラー３４３からクロスダイクロイックプリズム７０に至る光路を第９光路１０Ｉという。本実施の形態では第７光路１０Ｇと第８光路１０Ｈは直交し、第８光路１０Ｈと第９光路１０Ｉも直交している。
クロスダイクロイックプリズム７０の出射面７０Ａから出射された光束は、投影レンズ９０に入射する。そして、投影レンズ９０を介してスリーン上にカラー画像が形成される。
【００１７】
ここでＵＶ−ＩＲカットフィルタ２１は、図３に示すように、放電ランプ１０の前方に配置され、ハウジング２１０の端部２１０Ａに傾斜して配設されている。
放電ランプ１０は、図２に示すように、ランプ用ハウジング１０１と、ランプリフレクタ１４と、ランプバルブ１１と、保護ガラス１５とを備えている。
ランプ用ハウジング１０１は、その前端に矩形の開口を有し、ランプ用ハウジング１０１の内部にランプリフレクタ１４が設けられ、ランプ用ハウジング１０１及びランプリフレクタ１４の前部の上下に冷却空気を流すための切り欠き１６Ａが設けられ、この切り欠き１６Ａに保護網１６Ｂが設けられている。
ランプリフレクタ１４は、内面に回転対称放物面をなす反射面１４Ａを備えている。
ランプバルブ１１は、反射面１４Ａの回転対称軸上で回転対称放物面の焦点に対応する箇所において互いに対向する放電電極１２ａ、１２ｂを有する。
ランプバルブ１１の後部はランプ用ハウジング１０１の後端を貫通するように配設されている。
保護ガラス１５は、ランプ用ハウジング１０１の前端の開口を閉塞するように設けられている。
したがって、放電電極１２ａ、１２ｂ間の放電によって発せられた光は反射面１４Ａにより平行光となって保護ガラス１５を通って前方に反射される。
【００１８】
次に、放電ランプの取り付けについて説明する。
図３（Ａ）、（Ｂ）に示すように、ＵＶ−ＩＲカットフィルタ２１を収容するハウジング２１０の端部２１０Ａは、断面が矩形枠状に形成され、この基端に、断面が矩形枠状のハウジング側枠部材１１０が取着されている。
一方、ランプ用ハウジング１０１の前部に、断面が矩形枠状のランプ側枠部材１１１が取着され、このランプ側枠部材１１１はハウジング側枠部材１１０の内部に挿入され、双方の枠部材１１０、１１１はねじで固定されている。
したがって、放電ランプ１０は、ランプ側枠部材１１１及びハウジング側枠部材１１０を介してハウジング２１０で支持されている。
上下の切り欠き１６Ａに対応するランプ側枠部材１１１の箇所及びハウジング側枠部材１１０の箇所に開口部１８、１９が設けられ、下側の開口部１８に臨ませて送風ファン１７が設けられている。そして、送風ファン１７により外気を下側の開口部１８及び下側の切り欠き１６Ａを通って放電ランプ１０内に送り込み、ランプバルブ１１及びランプリフレクタ１４を冷却したのち上側の切り欠き１６Ａ及び上側の開口部１９を通って放電ランプ１０外に排出し、ランプバルブ１１を冷却すると共に、ランプバルブ１１の上下の温度差を低減するように構成されている。
なお、ランプバルブの上部と下部の平均温度は、空気の送風量により変わるので、ランプバルブ１１の上下の温度差が最小値となるように、送風ファン１７の電圧設定が制御されている。
【００１９】
次に、ＵＶ−ＩＲカットフィルタ２１の取り付けについて説明する。
ハウジング２１０の端部２１０Ａの内面下部に、ＵＶ−ＩＲカットフィルタ２１の下端が収容される溝２１２が形成され、端部２１０Ａの内面上部に、ＵＶ−ＩＲカットフィルタ２１の上端に係合可能な傾斜面２１３が形成されている。
ＵＶ−ＩＲカットフィルタ２１は、その下端が溝２１２に収容され、その上端が板ばね２１１により傾斜面２１３に押さえ付けられることで配設されている。なお、板ばね２１１は、端部２１０Ａの上壁に組み込まれている。
そして、ＵＶ−ＩＲカットフィルタ２１は、ランプバルブ１１から発せられた光で反射面１４Ａから前方に向けて反射される反射光に含まれる赤外線及び紫外線を、やや下方に傾けて反射面Ａに向けて反射させるように、放電ランプ１０に対してＵＶ−ＩＲカットフィルタ２１の上部が下部よりも近づくように下方に傾斜して配置されている。
【００２０】
ここで、ＵＶ−ＩＲカットフィルタ２１を下方に傾斜させて設置することが本実施の形態にかかる顕著な効果を奏するものであるため、以下にその詳細を説明する。
図４（Ａ）、（Ｂ）に示すように放電ランプ１０の前方に配置されるＵＶ−ＩＲカットフィルタ２１は、光入射面に紫外線及び赤外線を反射させてカットするＵＶ−ＩＲカットフィルタ膜２２があり、光出射面に光学ユニット２０からの迷光反射を抑えるＡＲ膜２３が施されている。
【００２１】
ランプバルブ１１の出射光は反射面１４Ａにより平行光線となってＵＶ−ＩＲカットフィルタ２１に入射する。ＵＶ−ＩＲカットフィルタ２１の入射光に含まれるＵＶ−ＩＲ光（紫外線および赤外線）は、ＵＶ−ＩＲカットフィルタ膜２２で反射されて反射面１４Ａに入射し、再び反射される。ここで、ＵＶ−ＩＲカットフィルタ２１を、該ＵＶ−ＩＲカットフィルタ２１の上部を反射面１４Ａの上部に近づけるように下向きに（以下、（−）方向）またはＵＶ−ＩＲカットフィルタ２１の上部を反射面１４Ａの上部から離れるように上向きに（以下、（＋）方向）に少し傾けることにより、ＵＶ−ＩＲカットフィルタ２１から反射されたＵＶ−ＩＲ光は、少し下向きまたは少し上向きに反射面１４Ａに入射する。そのため、ランプリフレクタ１４で反射されたＵＶ−ＩＲ光は、ランプバルブ１１の上部または下部に入射する光量が変わり前記上部または下部の温度が変わる。
ＵＶ−ＩＲカットフィルタ２１の傾斜角度はランプバルブ１１の上下の温度差が最低となったときが最も好ましく、本実施の形態では−４°に固定した。
【００２２】
ＵＶ−ＩＲカットフィルタ２１の傾斜角度を変えた場合の効果を確認するため、以下の実験を行った。
（実験１）実験条件
放電ランプ：１９０Ｗ超光圧水銀ランプ使用
ランプリフレクタのエアギャップ：１０ｍｍ×１０ｍｍ
エアギャップから空気を吹き入れるファン電圧：５．５Ｖ
上記条件でＵＶ−ＩＲカットフィルタ２１を光軸と直交する角度を基準角度（０°）としてフィルタの傾斜角度を１）４°、２）０°、３）−４°の場合と、４）フィルタ無し、という場合の実験を連続的に行い、ランプバルブ１１の上部と下部の温度を測定して、ランプバルブ１１の上部と下部の温度差を求めた。その結果を表１に示す。
【００２３】
【表１】
2006047980.tif 000003
【００２４】
上記実験によると、表１のように、ＵＶ−ＩＲカットフィルタ２１を基準の傾斜角度０°から−４°に傾けたことで、ランプバルブ１１の上下の温度差３０℃が０℃に低減した。
【００２５】
（実験２）実験条件
放電ランプ：１５０Ｗ超高圧水銀ランプ使用
他の条件：実験１と同じ
上記条件で、実験１と同様にＵＶ−ＩＲカットフィルタ２１の傾斜角度、１）４°、２）０°、３）−４°の場合と、４）フィルタ無し、という場合の実験を連続的に行い、ランプバルブ１１の上部と下部の温度差を求めた。その結果、ＵＶ−ＩＲカットフィルタ２１を基準の傾斜角度０°から−４°に傾けたことで、ランプバルブ１１上下の温度差か９５℃から３５℃に低減した。
【００２６】
上記実験により、ＵＶ−ＩＲカットフィルタ２１の反射光を利用し、ＵＶ−ＩＲカットフィルタ２１の傾斜角度によりランプバルブ１１の温度差を小さくできることが確認できた。
【００２７】
次に、ＵＶ−ＩＲカットフィルタ２１の傾き角度によりランプバルブ１１の上下の温度差が変わる理由を説明する。
ライトバルブ１１から発せられた光で反射面１４Ａの上部に入射し前方に反射された光は、ＵＶ−ＩＲカットフィルタ２１で反射され、反射面１４Ａの上部に戻らずに反射面１４Ａの下部に入射され、あるいは、反射面１４Ａの下方の外部に向けて照射される。したがって、従来に比べて、反射面１４Ａの上部の温度が下がると同時に反射面１４Ａの下部の温度は上昇する。
より詳細には、以下に述べる通りである。
【００２８】
照明光学系設計・評価ソフトＯｄｉｓＶｅｒ．７０によって、ＵＶ−ＩＲカットフィルタ２１を１）−４°傾けた、２）４°傾けた、という条件で、ＵＶ−ＩＲカットフィルタ２１からの戻り光の光線追跡を行った。その光跡を図５、図６に示す。
図５に示すように、ＵＶ−ＩＲカットフィルタ２１を−４°傾けた場合、ランプバルブ１１から反射面１４Ａを介して出た上側と下側の出射光ａ１、ｂ１は−４°傾いたＵＶ−ＩＲカットフィルタにより反射され、その少し下向きのフィルタ反射光ａ２、ｂ２となる。このフィルタ反射光ａ２、ｂ２は、再び反射面１４Ａで反射されてレフ反射光ａ３、ｂ３となる。レフ反射光ａ３、ｂ３は、さらに反射面１４Ａで反射されてレフ反射光ａ４、ｂ４となり、図示のようにそれぞれ下に逃げるので、ランプバルブ１１の下部が暖まり、かつ、上部に温度が停滞しないので、ランプバルブ１１の上下の温度差が低減するものと考えられる。
【００２９】
これに対してＵＶ−ＩＲカットフィルタ２１を４°に傾けた場合、図６に示すように、ランプバルブ１１から反射面１４Ａを介して出た上側と下側の出射光ａ１、ｂ１は４°傾いたＵＶ−ＩＲカットフィルタ２１により反射され、その少し上向きのフィルタ反射光ａ２、ｂ２となる。フィルタ反射光ａ２、ｂ２は、反射面１４Ａで再び反射されてレフ反射光ａ３、ｂ３となる。レフ反射光ａ３、ｂ３は、さらに反射面１４Ａでは反射されてレフ反射光ａ４、ｂ４となり、図示のようにそれぞれ上に逃げるので、ランプバルブ１１の上部が暖まりランプバルブの上下の温度差が大きくなる。
よって、本実施の形態によれば、ＵＶ−ＩＲカットフィルタを傾けるだけで格別な機器を必要とすることなくランプバルブ上下の温度差が低減することが可能となり、放電ランプの寿命を延ばすことが可能となる。
【００３０】
また、本実施の形態の投射型表示装置は据え置きの場合と天吊りの場合の両方で使用される場合がある。図７（Ａ）に示す据え置きの場合に対し図７（Ｂ）、（Ｃ）に示す天吊りの場合、ランプバルブの上部Ａと下部Ｂは上下反転するので、ＵＶ−ＩＲカットフィルタ２１の傾斜角度も反転させる必要がある。ＵＶ−ＩＲカットフィルタ２１の傾斜角度を反転させる手段としては、例えば、図７（Ｂ）に示すように、ＵＶ−ＩＲカットフィルタ２１の左右端面に支軸２１Ａを設け、この支軸２１Ａを支点にして回動する回動機構を設けてもよく、あるいは、図７（Ｃ）に示すように、ＵＶ−ＩＲカットフィルタ２１の上下一端を支点として他端をずらすずらし機構を設けてもよい。
【００３１】
（第２の実施の形態）
次に、第２の実施の形態を説明する。
図８は、第２の実施の形態を説明するための模式図である。
第２の実施の形態では、放電ランプ１０を下向きに配設した点、及び、放電ランプ１０とＰＳ変換素子２４との間に反射ミラー４０１Ａを配設した点が第１の実施の形態と異なっている。
放電ランプ１０は下方に向けて配置され、ＵＶ−ＩＲカットフィルタ２１Ａは放電ランプ１０の下方に配置されている。
放電ランプ１０は、第１の実施の形態と同様の構成であり、ライトバルブ１１から発せられた光は反射面１４Ａにより平行光となって下方に反射され、ＵＶ−ＩＲカットフィルタ２１Ａに入射される。ＵＶ−ＩＲカットフィルタ２１Ａを通過した光は、反射ミラー４０１Ａにより反射されてＰＳ変換素子２４に入射する。
【００３２】
本実施の形態では、ＵＶ−ＩＲカットフィルタ２１Ａは、より詳細には、ＵＶ−ＩＲカットフィルタ膜２２は、例えば、図８（Ａ）に示すように、上方に凸状の湾曲面で形成されている。
第２の実施の形態では、放電電極１２ａ、１２ｂから発せられた光で反射面１４Ａに入射し下方に反射された光は、ＵＶ−ＩＲカットフィルタ２１Ａの凸状の湾曲面で反射面１４Ａの外周方向に向けて反射される。
したがって、ＵＶ−ＩＲカットフィルタ２１Ａで反射された反射光は、反射面１４Ａの上部に戻らずに反射面１４Ａの下部に入射される。このため、従来に比べて、反射面１４Ａの上部の温度が下がり、第１の実施の形態と同様に、ランプバルブ上下の温度差を低減でき、放電ランプの寿命を延ばすことも可能となる。
【００３３】
第２の実施の形態の変形例を図８（Ｂ）に示す。
変形例では、ＵＶ−ＩＲカットフィルタ２１Ｂは、ＵＶ−ＩＲカットフィルタ膜２２は、例えば、下方に凸状の湾曲面で形成されている。
この変形例では、放電電極１２ａ、１２ｂから発せられた光で反射面１４Ａに入射し下方に反射された光は、ＵＶ−ＩＲカットフィルタ３１Ｂの凸状の湾曲面で反射面１４Ａの外周方向に向けて反射される。
したがって、ＵＶ−ＩＲカットフィルタ２１Ｂで反射された反射光は、反射面１４Ａの上部に戻らずに反射面１４Ａの下部に入射される。このため、従来に比べて、反射面１４Ａの上部の温度が下がり、第１の実施の形態と同様に、ランプバルブ上下の温度差を低減でき、放電ランプの寿命を延ばすことも可能となる。
尚、第２の実施の形態において、図８（Ａ）に示す上方に凸状の湾曲面に代えて上方に凸状の円錐面でＵＶ−ＩＲカットフィルタ２１Ａを形成し、また、図８（Ｂ）に示す下方に凸状の湾曲面に代えて下方に凸状の円錐面でＵＶ−ＩＲカットフィルタ２１Ｂを形成しても、同様な効果が奏される。
【００３４】
（第３の実施の形態）
次に、第３の実施の形態を説明する。
図９は、第３の実施の形態を説明するための模式図である。
第３の実施の形態では、放電ランプ１０を上向きに配設した点、及び、放電ランプ１０とＰＳ変換素子２４との間に反射ミラー４０１Ｂを配設した点が第１の実施の形態と異なっている。
放電ランプ１０は上方に向けて配置され、ＵＶ−ＩＲカットフィルタ２１Ｄは放電ランプ１０の上方に配置されている。
放電ランプ１０は、第１の実施の形態と同様の構成であり、ライトバルブ１１から発せられた光は反射面１４Ａにより平行光となって上方に反射され、ＵＶ−ＩＲカットフィルタ２１Ｄに入射される。ＵＶ−ＩＲカットフィルタ２１Ｄを通過した光は、反射ミラー４０１Ｂにより反射されてＰＳ変換素子２４に入射する。
【００３５】
本実施の形態では、ＵＶ−ＩＲカットフィルタ２１Ｄは、より詳細には、ＵＶ−ＩＲカットフィルタ膜２２は、例えば、図９（Ａ）に示すように、下方に凸状の湾曲面で形成されている。このとき、ＵＶ−ＩＲカットフィルタ２１Ｄの湾曲面の斜面は、第２の実施の形態のＵＶ−ＩＲカットフィルタ２１Ａにくらべて勾配が急であることが好ましい。
第３の実施の形態では、放電電極１２ａ、１２ｂから発せられた光で反射面１４Ａに入射し上方に反射された光は、ＵＶ−ＩＲカットフィルタ２１Ｄで反射面１４Ａの外周方向に向けて反射され、反射面１４Ａの上部から反射された光は、ＵＶ−ＩＲカットフィルタ２１Ｄの凸状の湾曲面で反射面１４Ａの上部に戻らずランプリフレクタ１４の外側に逃げるように反射される。
したがって、従来に比べて、反射面１４Ａの上部の温度が下がり、第１の実施の形態と同様に、ランプバルブ上下の温度差を低減でき、さらには放電ランプの寿命を延ばすことも可能となる。
【００３６】
第３の実施の形態の変形例を図９（Ｂ）に示す。
変形例では、ＵＶ−ＩＲカットフィルタ２１Ｅは、より詳細にはＵＶ−ＩＲカットフィルタ膜２２は、例えば、上方に凸状の湾曲面で形成されている。このとき、ＵＶ−ＩＲカットフィルタ２１Ｅの湾曲面の斜面は、第２の実施の形態のＵＶ−ＩＲカットフィルタ２１Ｂにくらべて勾配が急であることが好ましい。
この変形例では、放電電極１２ａ、１２ｂから発せられた光で反射面１４Ａに入射し上方に反射された光は、ＵＶ−ＩＲカットフィルタ２１Ｅで反射面１４Ａの外周方向に向けて反射され、反射面１４Ａの上部から反射された光はランプリフレクタ１４の外側に逃げるように反射される。
したがって、従来に比べて、反射面１４Ａの上部の温度が下がり、第１の実施の形態と同様に、ランプバルブ上下の温度差を低減でき、さらには放電ランプの寿命を延ばすことも可能となる。
尚、第３の実施の形態において、図９（Ａ）に示す下方に凸状の湾曲面に代えて下方に凸状の円錐面でＵＶ−ＩＲカットフィルタ２１Ｄを形成し、また、図９（Ｂ）に示す上方に凸状の湾曲面に代えて上方に凸状の円錐面でＵＶ−ＩＲカットフィルタ２１Ｅを形成しても、同様な効果が奏される。
【００３７】
上記第１乃至第３の実施の形態の光学ユニットは、例えば図１０に示すプロジェクションテレビジョン装置５００にも適用可能である。
以下にプロジェクションテレビジョン装置５００について説明する。
図１０（Ａ）はプロジェクションテレビジョン装置の正面図、（Ｂ）は同側面図である。
図１０に示すように、プロジェクションテレビジョン装置５００はその内部にフレームを備え、このフレームにはテレビジョン画像投影用の光学ユニット５１０と、反射ミラー（図示せず）と、背面投影型スクリーン５５０とが設けられている。
また、プロジェクションテレビジョン装置５００には、受信したテレビジョン信号を復調して画像信号と音声信号に分離し、前記画像信号に対して必要な信号処理を行い、赤（Ｒ）、緑（Ｇ）、青（Ｂ）の３色の画像情報を生成し、これら各画像信号を光学ユニット５１０に供給する画像情報生成回路が設けられている。
光学ユニット５１０は、第１の実施の形態における光学ユニット２と同様に構成されており、赤（Ｒ）、緑（Ｇ）、青（Ｂ）に対応した液晶パネルのそれぞれに前記各画像情報が供給されることでテレビジョン画像投影光束を出射するように構成されている。
反射ミラーは、光学ユニット５１０の上方かつ背面投影型のスクリーン５５０の後方に配置され、光学ユニット５１０から出射されたテレビジョン画像投影光束をスクリーン５５０の背面に向けて反射するものである。
スクリーン５５０は、反射ミラーによって反射されたテレビジョン画像投影光束が背面に投射されることで前面にテレビジョン画像が表示されるものである。
スクリーン５５０は、例えば、映像源側に配置されるフレネルレンズと、このフレネルレンズの後段に配置されるレンチキュラースクリーンによって構成される。また、これに加えて外光によるコントラスト劣化の減少、および、レンチキュラースクリーンの保護を目的とする別のスクリーンを設置してもよい。
このようなプロジェクションテレビジョン装置５００の光学ユニットにおいて、放電ランプに対向して配置されるＩＲフィルタまたはＵＶ−ＩＲフィルタにも本発明は無論適用可能である。
【００３８】
なお、上記の実施の形態では、ランプバルブ１１にＵＶ−ＩＲカットフィルタ２１を対向させた場合について説明したが、ＵＶ−ＩＲカットフィルタ２１に代えＩＲカットフィルタを用いる場合にも、ランプバルブから発せられた光で反射面の温度の高い箇所で反射された光を、ＩＲカットフィルタで反射させてＩＲ光（赤外線）を反射面の温度の低い箇所に向けて照射させることで、あるいは、反射面の外側に逃がすことで、ランプバルブの上下の温度差を低減できることは無論である。
また、上述した実施の形態では、光学ユニットにおいて光束を画像情報に基づいて変調する光変調手段（空間光変調素子）として透過型液晶装置からなる液晶パネルを用いた場合について説明したが、このような光空間変調素子は、光束を画像情報に基づいて変調するものであればよく、例えば、反射型液晶装置からなる液晶パネルを用いてもよいし、画素毎に対応した微小なミラーで光束を反射させるＤＬＭ（Ｄｉｇｉｔａｌ  Ｍｉｃｒｏｍｉｒｒｏ  Ｄｅｖｉｃｅ）と称される素子を用いてもよい。なお、ＤＬＭは、ＤＬＰ（Ｄｉｇｉｔａｌ  Ｌｉｇｈｔ  Ｐｒｏｃｅｓｓｉｎｇ）方式による投射型表示装置やリアプロジェクションテレビ装置に広く用いられているものである。
また、本発明において水平方向に向けて配置された放電ランプとは、厳密に水平方向に向けた場合のみに限定されず、水平方向から上方へあるいは下方へ若干傾けた場合も無論含むものである。
【図面の簡単な説明】
【００３９】
【図１】本発明の第１の実施の形態の投射型表示装置の構成図である。
【図２】放電ランプの斜視図である。
【図３】（Ａ）はＵＶ−ＩＲカットフィルタおよび放電ランプ部分の取り付け構造の断面図、（Ｂ）はＵＶ−ＩＲカットフィルタの取り付け構造の斜視図である。
【図４】（Ａ）は本発明の実施の形態に係る放電ランプとＵＶ−ＩＲカットフィルタの説明図、（Ｂ）はＵＶ−ＩＲカットフィルタの断面図である。
【図５】はUV−IRカットフィルタ２１を−４°に傾けた場合の上側及び下側の反射光跡図である。
【図６】はUV−IRカットフィルタ２１を４°に傾けた場合の上側及び下側の反射光跡図である。
【図７】はＵＶ−ＩＲカットフィルタの反転方法の説明図である。
【図８】（Ａ）は第２の実施の形態を説明するための模式図、（Ｂ）は第２の実施の形態の変形例を説明するための模式図である。
【図９】（Ａ）は第３の実施の形態を説明するための模式図、（Ｂ）は第３の実施の形態の変形例を説明するための模式図である。
【図１０】（Ａ）はプロジェクションテレビジョン装置の正面図、（Ｂ）は側面図である。
【図１１】従来プロジェクタの構成図である。
【符号の説明】
【００４０】
２…投射型表示装置、１０…放電ランプ、１１…ランプバルブ、１２ａ，１２ｂ…放電電極、１４…ランプリフレクタ、１４Ａ…反射面、２０、５１０…光学ユニット、２１…ＵＶ−ＩＲカットフィルタ。
【図１】
2006047980.tif 000004
【図２】
2006047980.tif 000005
【図３】
2006047980.tif 000006
【図４】
2006047980.tif 000007
【図５】
2006047980.tif 000008
【図６】
2006047980.tif 000009
【図７】
2006047980.tif 000010
【図８】
2006047980.tif 000011
【図９】
2006047980.tif 000012
【図１０】
2006047980.tif 000013
【図１１】
2006047980.tif 000014